(57)【特許請求の範囲】
【請求項１】
パチンコ台配列群の列端部に設置された物品自動払出し機と、前記パチンコ台の間の台間玉貸し機に設けられた注文操作部の操作により注文信号を発生する注文送信手段と、前記注文信号に基づいて前記物品自動払出し機から払い出される注文物品を担持すると共に当該物品の存否を検出する物品担持検出部を有して前記パチンコ台配列群の上部で配列方向に亘る軌道に沿って前記注文信号に基づく注文先へ向け往動し、当該注文先に到着して前記物品担持検出部により物品の不担持を検出した後、前記物品自動払出し機まで復動して待機する軌道式物品運搬具とを備え、前記台間玉貸し機は、硬貨，パチンコ玉又は所定カードを投入する投入口を有しており、当該投入口から硬貨，パチンコ玉又は所定カードを前記注文物品の対価支払いのために受け入れて前記注文操作部が操作されると共に当該注文物品の対価の支払いがなされることを条件に前記注文信号を有効化することを特徴とする遊技施設の注文品自動配給装置。
【請求項２】
請求項１に記載の遊技施設の注文品自動配給装置において、前記物品自動払出し機は、前記注文信号を受信して制御を行なう制御手段と、前記注文信号に含まれる物品情報に応じて注文物品を前記物品運搬具に対し払い出す物品払出し手段と、前記注文信号に含まれる注文先情報を前記物品運搬具に授ける情報伝達手段とを有して成ることを特徴とする遊技施設の注文品自動配給装置。
【請求項３】
請求項２に記載の遊技施設の注文品自動配給装置において、前記物品運搬具は、バッテリ内蔵型自走式搬送装置であって、前記授けられた注文先情報を記憶する記憶手段を具備する制御手段と、移動位置を検出する位置検出手段と、前記位置情報が前記注文先情報に一致するまで往動駆動を継続してから復動駆動をする駆動手段とを有して成ることを特徴とする遊技施設の注文品自動配給装置。
【請求項４】
請求項３に記載の遊技施設の注文品自動配給装置において、前記物品運搬具は、前記待機位置にて前記物品自動払出し機側の給電端子に接触して前記内蔵バッテリを充電する受電端子を有して成ることを特徴とする遊技施設の注文品自動配給装置。
【請求項５】
請求項１乃至請求項４のいずれか一項に記載の遊技施設の注文品自動配給装置において、前記物品運搬具に担持した物品を当該運搬具の外へ排出する物品排出手段と、排出された物品を受けて遊技機近傍の物品取出口へ導く物品案手段とを有することを特徴とする遊技施設の注文品自動配給装置。
【発明の詳細な説明】
【０００１】
【産業上の利用分野】
本発明は、パチンコホール等の遊技施設において遊技者が席を立たずに注文した飲み物等の注文物品をその遊技者の席まで自動的に配給するための遊技施設の注文品自動配給装置に関する。
【０００２】
【従来の技術】
パチンコホール等の遊技施設で、遊技者が椅子に座ってパチンコに興じている最中、喉が渇いてジュースやコーヒー等を飲みたくなったり、煙草を切らしたときなどは、遊技を一旦中止し、遊技者自身がわざわざホール内の自動販売機設置場所まで出向いて所望の物品を購入する必要があった。しかし、遊技中に席を立って離れてしまうと、その中止期間はパチンコ台が非稼働状態のままで、パチンコ台の利用効率が一時的にも低下してしまい、遊技施設の売上増額に結びつかない。また、遊技中止の間を空けると、その遊技者にとって遊技上の微妙なテクニックが変化してしまうことがあり、またそれが心配のあまり、遊技中には席を立ち難い事態でもある。
【０００３】
パチンコ台の出玉数が好調になると、遊技中にパチンコ台受皿内の多量の出玉を玉箱に移し替える作業が生じるものの、一般に、その玉箱はパチンコ島の島端部に積み置きされているため、遊技者自身が遊技を中止してそこまで取りに行かなければならない。かかる場合は、パチンコ遊技の最高の醍醐味を味わうべき瞬間に遊技を止むなく中止せねばならず、それ故、パチンコ遊技の面白さが半減しがちになる。また、出玉絶好期に席を離れるのは盗難等のおそれもあり、遊技者にとっては心情的に離れ難いものである。
【０００４】
【発明が解決しようとする課題】
従来、パチンコ台に玉詰まり等のトラブルが生じた場合、パチンコ台の上部に設置された呼出スイッチを押してパチンコ島端等に設けられた呼出ランプを点滅させ、ホール係員をそのパチンコ台まで誘引させて手当さすことが行われている。このようなパチンコ台異常時に使用する呼出スイッチを悪用して、玉箱の持参を係員に依頼する遊技者も多い。係員はやむなく要求に応じる場合もあるが、ホールの繁忙期には応じ難いこともある。呼出スイッチが悪用されると、真にパチンコ台トラブル解消を願う御客に対し迅速対応ができなくなる。
【０００５】
ところで、ホール係員に代わり、遊技者の注文・要求に応じていわばボーイとなる給仕ロボット等をホール内に配備することが想像できるが、現在のところ、ロボット技術の進展等から見て実用化にはまだまだ無理があり、また、パチンコ島間の狭いフロア通路上を給仕ロボットが徘徊することになると、却って、御客等の行き来の邪魔になり易い。
【０００６】
そこで上記問題点に鑑み、本発明の第１の課題は、遊技者が席を立たずに注文した物品をその遊技者の席まで自動的に配給する遊技施設の注文品自動配給装置を提供することにあり、また本発明の第２の課題は、その遊技施設場の注文品自動配給装置を施設内の通路スペースを使用せずに邪魔にならない省スペース型として実現することにある。
【０００７】
【課題を解決するための手段】
上記課題を解決するための本発明に係る遊技施設の注文品自動配給装置は、パチンコ台配列群の列端部に設置された物品自動払出し機と、前記パチンコ台の間の台間玉貸し機に設けられた注文操作部の操作により注文信号を発生する注文送信手段と、注文信号に基づいて物品自動払出し機から払い出される注文物品を担持すると共に当該物品の存否を検出する物品担持検出部を有して上記パチンコ台配列群の上部で配列方向に亘る軌道に沿って上記注文信号に基づく注文先へ向け往動し、当該注文先に到着して物品担持検出部により物品の不担持を検出した後、上記物品自動払出し機まで復動して待機する軌道式物品運搬具とを備え、上記台間玉貸し機は、硬貨，パチンコ玉又は所定カードを投入する投入口を有しており、当該投入口から硬貨，パチンコ玉又は所定カードを注文物品の対価支払いのために受け入れて注文操作部が操作されると共に当該注文物品の対価の支払いがなされることを条件に上記注文信号を有効化することを特徴とする。
【０００８】
ここで、上記物品自動払出し機としては、上記注文信号を受信して制御を行なう制御手段と、上記注文信号に含まれる物品情報に応じて注文物品を上記物品運搬具に払い出す物品払出し手段と、上記注文信号に含まれる注文先情報を上記物品運搬具へ受け渡す情報伝達手段とを有して成ることが望ましい。
【０００９】
また、上記物品運搬具としては、バッテリ内蔵型自走式搬送装置であって、上記注文先情報を記憶する記憶手段を具備する制御手段と、移動位置を検出する位置検出手段と、上記位置情報が上記注文先情報に一致するまで往動駆動を継続してから往動駆動をする駆動制御手段とを有して成ることが望ましい。
【００１０】
また、上記物品運搬具としては、バッテリ内蔵型自走式搬送装置であって、上記注文先情報を記憶する記憶手段を具備する制御手段と、移動位置を検出する位置検出手段と、上記位置情報が上記注文先情報に一致するまで往動駆動を継続してから復動駆動をする駆動制御手段とを有して成ることが望ましい。
【００１１】
そして、本発明は、物品運搬具に担持した物品を当該運搬具の外へ排出する物品排出手段と、排出された物品を受けて遊技機近傍の物品取出口へ導く物品案手段とを有することが望ましい。
【００１２】
【作用】
ある遊技者がパチンコ台の前に座りながら注文操作部を操作すると、注文信号が注文送信手段から送られ、これを列端部の物品自動払い出し機が受信する。これにより、軌道式物品運搬具は注文物品を担持しながら注文先の遊技機まで軌道に沿って往動し、物品担持検出部により物品の不担持を検出した後、物品運搬具は復動して物品自動払い出し機へ戻って待機する。遊技者はパチンコ遊技中でも席を立たずに物品を注文すると遊技者の身近まで注文物品の配給が自動的に行われるようになっている。また物品運搬具は装置構成の簡略化が可能の軌道式であり、更にその軌道が遊技機配列群の上部にあるので、敷設場所が通路スペースを占有せず、省スペース型装置を実現できる。
【００１３】
物品運搬具は充電バッテリ内蔵型であり、待機時には給電端子と受電端子を介して充電状態となる。バッテリの電気切れを生じるおそれはなく、小型バッテリの搭載で足りる。このため、バッテリの小型軽量化を図ることができる。
【００１４】
更に、本発明では、物品運搬具に物品排出手段を設けると共に、各遊技機側には物品案手段を設けられている。注文先に到着した時点で物品排出手段が作動すると、担持された物品は運搬具から外部に排出されて物品案手段を介して物品取出口へ差し出される。従って、注文者は手元に配給された注文物品を簡単に手に取ることができると共に、物品が運搬具から捨て置きされるので所定時間停止することなく、すぐに復動復帰に移行するができるので、配給期間の短縮化を図ることができる。
【００１５】
【実施例】
次に本発明の実施例を添付図面に基づいて説明する。
【００１６】
図１は本発明の実施例に係る遊技施設の注文品自動配給装置を示す正面図、図２は同注文品自動配給装置の電気系統の全体構成を示すブロック図、図３（Ａ）は同注文品自動配給装置における物品搬送ユニットと搬送レールを示す正面図で、図３（Ｂ）はその一部切欠き側面図であり、図４は同物品搬送ユニットの詳細を示す側面図である。
【００１７】
本例のパチンコホールの注文品自動配給装置は、図１に示すように、パチンコ島（遊技台配列群）１の列端部の上部位置に設置された物品自動払い出し機（遠隔制御型自動販売機）２と、パチンコ台１−１〜１−９の正面下部に設けられた注文押しボタンスイッチ３と、パチンコ島１の上部位置で配列方向にわたって敷設された搬送レール４と、これに沿って物品自動払出し機２側位置を待機位置（復帰位置）として往復移動するシャトル便としての物品搬送ユニット（軌道式物品運搬具）５とを有している。図１中、６はパチンコ島１の中程に設けられたパチンコ玉還元機、７はパチンコ台の間に設けられた台間玉貸し機、８は表示装置、９は島端金庫である。
【００１８】
各パチンコ台１−１〜１−９には注文操作部としての注文押しボタンスイッチ３が設けられている。本例では唯一の押しボタンスイッチ３の操作で対話形式で注文及び注文品の選択等が行えるようになっているが、複数の押しボタンスイッチを設けても良い。このような注文操作部の位置は本例のようにパチンコ台の一部でも良いが、硬貨又はパチンコ玉の投入を条件に注文指令を有効化するために、図６に示すように、近接の台間玉貸し機７に設けても良い。この台間玉貸し機７には、正面に注文押しボタンスイッチ３とパチンコ玉投入口７ａが設けられており、玉計数部７ｂが内蔵されている。このように、パチンコ台１−１〜１−９又は台間玉貸し機７に注文操作部としての押しボタンスイッチ３が設けられており、押しボタンスイッチ３によって注文操作が行われると共に、注文品の対価である硬貨又はパチンコ玉が台間玉貸し機７に支払われると、図２に示すように、注文先アドレス情報及び注文物品情報を含む注文信号Ｓがパチンコ台側制御部１０の注文送信部１０ａから通信バスラインＢＵＳへ出力される。
【００１９】
物品自動払出し機（遠隔制御型自動販売機）２は、通信バスラインＢＵＳを介して注文送信部１０ａから注文信号Ｓを受信して制御を行なう制御部２ａと、その注文信号Ｓに含まれる注文物品情報に応じて注文物品を物品搬送ユニット５に対し払い出す物品払出し部２ｂと、注文信号Ｓに含まれる注文先アドレス情報を物品搬送ユニット５に授ける情報伝達素子２ｃと、直流電源回路２ｄとを有している。物品払出し部２ｂから払い出される物品は、缶コーヒーや缶ジュースの飲み物、チューイングガム等の菓子類、玉箱やおしぼり等である。情報伝達素子２ｃは注文先アドレス情報を物品搬送ユニット５側に受け渡すための接触板２ｅを有している。また、直流電源回路２ｄは物品搬送ユニット５側に給電するための給電用接触板２ｆ，２ｇを有している。
【００２０】
物品搬送ユニット５は、物品自動払い出し機２の情報伝達素子２ｃから授けられた注文先情報を記憶する記憶部５ａを具備する制御部５ｂと、バッテリ５ｃと、移動位置を検出する位置検出部５ｄと、駆動輪２１を回転駆動する減速ギア付きモータ２０とこの駆動方向を正逆切り換える切り換えスイッチ１９を含む駆動部５ｅと、払い出し部２ｄから払い出された物品の存否を検出する物品担持検出部５ｆとを有している。制御部５ｂは待機位置にて給電用接触板２ｆ，２ｇに接触してバッテリ５ｃを充電する接触子５ｇ，５ｈを有すると共に、接触板２ｅに接触して注文先情報を受領するための接触子５ｉを有している。搬送レール４は長尺状で断面略Ｃ字形の枠材で、その開放スリット４ａに２つの駆動輪２１が差し込まれており、搬送レール４の下部凸条４ｂが駆動輪２１を支える軌道となり、搬送レール４の上部凸条４ｃは駆動輪２１の倒れ止めのガイド規制体となっている。搬送レール４はパチンコ島１の架台上部に敷設されており、その一端は物品自動払い出し機２の物品払い出し部２ｂまで延びている。
【００２１】
物品搬送ユニット５は、駆動輪２１の駆動軸２１ａを回動自在に支承する軸受２５及び減速ギア付きモータ２０を固定した垂直ベース板Ｂと、モータ軸に固定した原動プーリ２３から駆動軸２１ａに固定した従動プーリ２４に駆動力を伝達する巻き架けベルト２７と、搬送レール４の長手方向に沿って貼着した位置コード帯板３５と、この位置コード帯板３０に離間対向するように臨ませて設けた光学式位置検出部５ｄと、ベース板Ｂから外部に露出させた接触子５ｇ，５ｉ，５ｈと、制御部５ｂ，切り換えスイッチ１９等を構成する電子部品等が実装された印刷配線板２６と、ベルト２７及び印刷配線板２６を蔽う保護カバーＣと有しており、図３（Ｂ）に示すように、垂直ベース板Ｂの下端側は払い出された物品Ｗを担持するゴンドラ２２となっている。
【００２２】
例えば、パチンコ台１−７を使用している遊技者が例えば缶コーヒーを飲みたくなった場合、遊技者は注文押しボタンスイッチ３を押して給仕を欲する物品を指定すると共に、台間玉貸し機７の投入口にその注文物品の対価に見合う玉数のパチンコ玉を投入すると、その注文送信部１０ａからバスラインＢＵＳへ注文信号Ｓが送出される。この注文信号Ｓは物品自動払い出し機２の制御部２ａで受信解読され、それに含まれる物品情報は物品払い出し部２ｂへ、それに含まれる注文先情報は情報伝達素子２Ｃへそれぞれ送られる。情報伝達素子２ｃは注文先情報を接触板２ｅ，接触子５ｉから成るコネクタを介して物品搬送ユニット５の制御部５ｂへ受け渡す。授かった注文先情報は記憶部５ａに格納される。物品払い出し部２ｂは物品情報を基に注文物品Ｗを物品搬送ユニット５のゴンドラ２２へ払い出す。注文物品Ｗが払い出されてゴンドラ２２上に載ると、この物品担持状態を物品担持検出部５ｆが検出し、これにより制御部５ｂの制御でバッテリ５ｃから切り換えスイッチ１９を介して減速ギア付きモータ２０へ給電されるため、駆動輪２１の回転が始まり、物品搬送ユニット５は物品自動払い出し機２から離れて搬送レール４に沿って移動する。移動中、位置検出部５ｄが移動位置（パチンコ台１−７）を常時検出しており、その移動位置情報が注文先情報に一致するまで制御部５ｂは切り換えスイッチ１９の接点位置を維持する。移動位置情報が注文先情報に一致すると、給電が断たれるのでモータ２０の回転が停止し、物品搬送ユニット５は注文先で停止する。このため、注文物品Ｗを遊技者が掴み取ることができる。なお、注文先での滞在時間を確実に設けると同時に、ランプや音響等で注文物品の到着を告知するようにしても良い。搬送ユニットの移動速度は高速でないので、注文先で積極的な停止期間がなくても、遊技者は注文物品Ｗを獲得することが可能であるが、遊技最中でもあることから、ある程度（例えば１分間）の停止期間を設ける方が良い。
【００２３】
次に、注文物品Ｗがゴンドラ２２上から抜き出されると、物品担持検出部５ｆがそれを検出し、これにより制御部５ｂは切り換えスイッチ１９を切り換えてモータ２０を逆転させる。これによって物品搬送ユニット５は物品自動払い出し機２に接触するまで復動して停止する。この待機状態では、接触板２ｅと対をなす接触子５ｉが相互に接触しているため、注文先情報の受渡しが何時行われても構わない。また接触板２ｆ，２ｇと対をなす接触子５ｇ，５ｈが相互に接触しているため、直流電源回路２ｄから物品搬送ユニット５のバッテリ５ｃへの充電が行われている。物品搬送ユニット５は非移動期間においては常に充電され続けているので、バッテリ５ｃの電気切れを生じるおそれはなく、また小型バッテリ５ｃの搭載で足りる。
【００２４】
本例では、物品搬送ユニット５の軌道がパチンコ島１の上部に敷設されているので、通行の邪魔には全くならない。また物品搬送ユニット５が軌道式であるから操縦機構が不要で、物品搬送ユニット５の小型軽量化が達成されている。物品搬送ユニット５は充電バッテリ内蔵型であるが、勿論、電源ケーブルを引き回す有線式の運搬具でも良いし、また搬送レールから給電されるようにしても良い。
【００２５】
ただ、前者の場合は電源ケーブルの屈曲等や駆動負荷が問題となり、後者の場合は絶縁構造が大掛かりになる。
【００２６】
物品搬送ユニット５が注文先で停止し続けている場合、遊技者が物品Ｗをゴンドラ２２から何時までも取り出さないでいると、停止状態が何時までも続き、他の新たな注文に応じることができない。このような場合を回避するには、前述したように、所定時間だけ停止した後、物品搬送ユニット５を強制的に復動して復帰さすように制御すると、次の注文に応じる体制を整えることができる。しかし、ゴンドラ２２上の物品Ｗの返却や対価としてのパチンコ玉の精算等の厄介な後処理の問題が発生してしまう。このような物品返却やパチンコ玉精算の問題を生じさせないためには、図５に示すように、物品搬送ユニットやパチンコ島に物品差し置き（捨て置き）機構を設けることが好ましい。即ち、物品差し置き機構は、物品搬送ユニット５のゴンドラ２２を跳ね上げて回動し物品Ｗを落下させる物品落とし機構（図示せず）と、各パチンコ台１−ｉ（１−ｊ）毎にその背後空間に設けられ、落下した物品を受け入れて滑り落とし台板５４付近に設けた物品取出口５２に案内する物品シュート５３とから構成されている。なお、図５中の５１は物品自動払い出し機２の真下に設置した自動販売機である。
【００２７】
物品搬送ユニット５が注文先パチンコ台に到着して停止すると、物品落とし機構が作動してゴンドラ２２が跳ね上がり回動するので、物品Ｗは落下して物品シュート５３内を通って物品取出口５２に現れ出る。このため、注文者は手元に配給された注文物品Ｗを簡単に手に取ることができると共に、ゴンドラ２２上には注文者の恣意に拘らず物品Ｗがもはや存在していないため、物品Ｗの捨て置き後は所定時間停止することなく、すぐに復動動作に移行するができる。配給期間の短縮化を図ることができる。
【００２８】
図７は台間カードユニット７０とカードリーダ対応型パチンコ台（ＣＲ機）１００−１〜１００−３とからなるパチンコ島を示す一部正面図である。台間カードユニット７０はカード挿入口７２を正面に備えており、カードリーダを有している。カード挿入により対応のパチンコ台へ玉供給等が行なわれるようになっている。この台間カードユニット７０にも押しボタンスイッチ７４が設けられており、これが押される度に所定額がカードの金額より減算されるようになっている。要求物品の注文が可能となっている。また、ＣＲ機１００では、パチンコ玉の貸し玉払い出し操作を制御する押しボタン操作部１２０が設けられているが、この操作部１２０に注文押しボタンスイッチ１０が設けられている。注文物品の対価として硬貨やパチンコ玉を用いると、玉計数部等のように機構的に複雑化を招いてしまうが、カードを用いたソフト的精算方式を採用すると、その機構上の複雑化を回避できる。従って、本例の物品注文システムはＣＲ機に用いるのに適している。
【００３０】
【発明の効果】
以上説明したように、本発明は、台間玉貸し機を対価支払いに利用する点と物品運搬具が注文物品の存否を検出する物品担持検出部を備えている点を特徴としている。従って、次の効果を奏する。
【００３１】
▲１▼  パチンコ遊技者は、遊技中でも席を立たずに、台間玉貸し機の注文操作部に対する操作と硬貨，パチンコ玉又は所定カードを台間玉貸し機の投入口に投入することにより、遊技者の身近まで注文物品の配給が自動的に行われる。遊技中断を排除できるので、遊技台の稼働効率の向上及び利便性の向上を図ることができる。物品運搬具の軌道敷設場所としてパチンコ台配列群の上部を利用すると共に、台間玉貸し機が注文操作部と対価支払いに利用されている。敷設場所が通路スペースを占有せず、省スペース型装置を実現できる。
【００３２】
▲２▼  物品運搬具は充電バッテリ内蔵型であり、待機時には給電端子と受電端子を介して充電状態となるので、バッテリの電気切れを生じるおそれはなく、小型バッテリの搭載で足りる。従って、バッテリの小型軽量化を図ることができる。
【００３３】
▲３▼  物品排出手段と物品排出手段を設けると、担持された物品は運搬具から外部に排出されて物品案手段を介して物品取出口へ差し出されるので、注文者は手元に配給された注文物品を簡単に手に取ることができる。また、物品が運搬具から捨て置きされるので、運搬具はすぐに復動復帰に移行するができる、配給期間の短縮化を図ることができる。
【図面の簡単な説明】
【図１】本発明の実施例に係る遊技施設の注文品自動配給装置を示す正面図である。
【図２】同注文品自動配給装置の電気系統の全体構成を示すブロック図である。
【図３】（Ａ）は同注文品自動配給装置における物品搬送ユニットと搬送レールを示す正面図で、（Ｂ）はその一部切欠き側面図である。
【図４】同物品搬送ユニットの詳細を示す側面図である。
【図５】（Ａ）は同注文品自動配給装置において一部パチンコ台を取り外してゴンドラ及び物品シュートを示すパチンコ島の正面図、（Ｂ）はその側面図である。
【図６】（Ａ）は同注文品自動配給装置において使用される台間玉貸し機の一例を示す側面図、（Ｂ）はその正面図である。
【図７】同注文品自動配給装置において台間カードユニットとカードリーダ対応型パチンコ台（ＣＲ機）とからなるパチンコ島を示す部分正面図である。
【符号の説明】
１…パチンコ島（遊技台配列群）
１−１〜１−９…パチンコ台
２…物品自動支払い機（遠隔制御型自動販売機）
２ａ…制御部
２ｂ…物品払い出し部
２ｃ…情報伝達素子
２ｄ…直流電源回路
２ｅ〜２ｇ…接触板
３…注文押しボタンスイッチ
４…搬送レール
４ａ…開放スリット
４ｂ…下部凸条
４ｃ…上部凸条
５…物品搬送ユニット（軌道式物品運搬具）
５ａ…記憶部
５ｂ…制御部
５ｃ…バッテリ
５ｄ…位置検出部
５ｅ…駆動部
５ｆ…物品担持検出部
５ｇ〜５ｉ…接触子
６…パチンコ玉還元機
７…台間玉貸し機
７ａ…パチンコ玉投入口
７ｂ…玉計数部
８…表示装置
９…島端金庫
１０…パチンコ台側制御部
１０ａ…注文送信部
１９…切り換えスイッチ
２０…減速ギア付きモータ
２１…駆動輪
２１ａ…駆動軸
２２…ゴンドラ
２３…原動プーリ
２４…従動プーリ
２５…軸受
２６…印刷配線板
２７…巻き架けベルト
３０…位置コード帯板
５２…物品取出口
５３…物品シュート
５４…台板
７０…台間カードユニット
７２…カード挿入口
７４…押しボタンスイッチ
１００−１〜１００−３…カードリーダ対応型パチンコ台（ＣＲ機）
１２０…押しボタン操作部
Ｂ…垂直ベース板
Ｃ…保護カバー
ＢＵＳ…通信バスライン
Ｓ…注文信号
物品…Ｗ。
【図１】
0003775693.tif 000002
【図２】
0003775693.tif 000003
【図３】
0003775693.tif 000004
【図４】
0003775693.tif 000005
【図５】
0003775693.tif 000006
【図６】
0003775693.tif 000007
【図７】
0003775693.tif 000008